【事件の表示】
　特願２０１５−５２４５９１「方法及び装置」拒絶査定不服審判事件〔平成２６年　２月　６日国際公開、ＷＯ２０１４／０１９２３９、平成２７年　８月１３日国内公表、特表２０１５−５２３８２５〕について、次のとおり審決する。
【結　論】
　本件審判の請求は、成り立たない。
【理　由】
第１　手続の経緯
　本願は、２０１２年（平成２４年）８月３日を国際出願日とする出願であって、平成２７年１２月２２日付けで拒絶理由が通知され、平成２８年４月４日に意見書及び手続補正書が提出され、同年９月３０日付けで拒絶査定されたところ、平成２９年２月６日に拒絶査定不服審判の請求がなされ、同時に手続補正がなされたものである。
第２　平成２９年２月６日にされた手続補正についての補正の却下の決定
［補正の却下の決定の結論］
　平成２９年２月６日にされた手続補正を却下する。
［理由］
１　補正の概要
　平成２９年２月６日にされた手続補正（以下、「本件補正」という。）は、平成２８年４月４日にされた手続補正により補正された特許請求の範囲の請求項１に記載された
「　進化型ユニバーサル地上波無線アクセスネットワークで、ＳＩＢ１アップリンク及びダウンリンク構成０と、アップリンク及びダウンリンク構成０ではない、ハイブリット自動再送要求のための基準構成とを使用するセルにおけるユーザ装置と通信するステップと、
　前記ユーザ装置への送信に含まれたアップリンクサブフレームのハイブリッド自動再送要求フィードバックに関連したサブフレームがどれだけあったかを示すための、ダウンリンクグラント内のダウンリンク割当てインデックス情報を使用するステップと、
を含むことを特徴とする方法。」（以下、「本願発明」という。）
を、
「　進化型ユニバーサル地上波無線アクセスネットワークで、ＳＩＢ１アップリンク及びダウンリンク構成０と、アップリンク及びダウンリンク構成０ではない、ハイブリット自動再送要求のための基準構成とを使用するセルにおけるユーザ装置と通信するステップと、
　前記ユーザ装置への送信に含まれたアップリンクサブフレームのハイブリッド自動再送要求フィードバックに関連したサブフレームがどれだけあったかを示すための、ダウンリンクグラント内のダウンリンク割当てインデックス情報を使用するステップと、
　
物理アップリンク制御チャネル上で前記ハイブリッド自動再送要求フィードバックを受け取るステップと、
を含
み、
　
ＰＵＣＣＨフォーマット３は、前記ハイブリッド自動再送要求フィードバックの送信に用いられ、
　
前記セル及び別のセルの一方はプライマリセルを含み、前記セル及び前記別のセルの他方はセカンダリセルを含み、
　
前記セル及び前記別のセルは、集約されたキャリアを提供する、
ことを特徴とする方法。
」（以下、「本件補正発明」という。当審注：
下線部
に変更することを含むものである。
２　補正の適否
　請求項１についての上記補正は、補正前の請求項２を引用する請求項５をさらに引用する請求項６に係る発明を補正前の請求項３に記載された事項で限定するものであって、本願発明と本件補正発明の産業上の利用分野及び解決しようとする課題が同一であるから、同法１７条の２第５項２号の特許請求の範囲の減縮を目的とするものに該当する。
　そして、本件補正において、特許法第１７条の２第３項（新規事項）、第４項（シフト補正）に違反するところはない。
　そこで、本件補正発明が特許出願の際独立して特許を受けることができるものであるか否か（同法１７条の２第６項で準用する同法１２６条７項の規定に適合するか否か）について以下に検討する。
（１）本件補正発明
　本件補正発明は、上記１の「本件補正発明」のとおりのものと認める。
（２）引用発明及び公知技術
ア　引用発明
　原査定の拒絶の理由で引用されたSamsung，Discussion on PUCCH HARQ-ACK transmission，3GPP TSG RAN WG1 #69，R1-122220，２０１２年５月１２日（利用可能日），ＵＲＬ，http://www.3gpp.org/ftp/tsg_ran/WG1_RL1/TSGR1_69/Docs/R1-122220.zip（以下、「引用例１」という。）には，以下の記載がある。（
下線
（ア）「1　Introduction
In RAN1#68, the following agreements were made:
　・
HARQ-ACK timing of PCell PDSCH, the scheduling timing of PCell PUSCH, the HARQ timing of PCell PUSCH should follow the PCell timing.
　　・PCell timing is the same as Rel-8/9/10.
　・
The PDSCH HARQ timing on SCell shall
　　・
follow the PCell SIB1 configuration if the set of DL subframes indicated by the SCell SIB1 configuration is a subset of the DL subframes indicated by the PCell SIB1 configuration
　　・FFS if the set of DL subframes indicated by the SCell SIB1 configuration is NOT a subset of the DL subframes indicated by the PCell SIB1 configuration
And then in RAN1#68bis, the remaining cases that the set of DL subframes indicated by the SCell SIB1 configuration is NOT a subset of the DL subframes indicated by the PCell SIB1 configuration was agreed for self scheduling.
（中略）
Based on the above agreements, 
PDSCH HARQ timing for Pcell PDSCH follows Pcell UL-DL configuration itself, and the UL-DL configuration used as PDSCH HARQ timing reference for a Scell at least for full duplex case of self scheduling is summarized in Table 1.
A key observation here is 
the timing reference for a Scell can be different from Pcell UL-DL configuration.
（当審仮訳：
1　はじめに
ＲＡＮ１＃６８では、以下の合意がされた。
　・
ＰＣｅｌｌ　ＰＤＳＣＨのＨＡＲＱ−ＡＣＫタイミング、ＰＣｅｌｌ　ＰＵＳＣＨのスケジューリングタイミング、ＰＣｅｌｌ　ＰＵＳＣＨのＨＡＲＱタイミングはＰＣｅｌｌタイミングに従うべきである。
　　・ＰｃｅｌｌのタイミングはＲｅｌ−８／９／１０と同じ。
　・
ＳＣｅｌｌ上のＰＤＳＣＨ　ＨＡＲＱタイミングは、
　　・
ＳＣｅｌｌ　ＳＩＢ１構成によって示されるＤＬサブフレームのセットが、ＰＣｅｌｌ　ＳＩＢ１構成によって示されるＤＬサブフレームのサブセットである場合には、ＰＣｅｌｌ ＳＩＢ１構成に従う
　　・ＳＣｅｌｌ ＳＩＢ１構成によって示されるＤＬサブフレームのセットが、ＰＣｅｌｌ　ＳＩＢ１構成によって示されるＤＬサブフレームのサブセットでない場合、更に検討。
そして、ＲＡＮ１＃６８ｂｉｓにおいて、ＳＣｅｌｌ　ＳＩＢ１構成によって示されるＤＬサブフレームのセットが、ＰＣｅｌｌ　ＳＩＢ１構成によって示されるＤＬサブフレームのサブセットではない残りの場合は、自己スケジューリングのために合意された。
（中略）
上記の合意に基づいて、
Ｐｃｅｌｌ　ＰＤＳＣＨのためのＰＤＳＣＨ　ＨＡＲＱタイミングは、Ｐｃｅｌｌ　ＵＬ−ＤＬ構成自体に従い、自己スケジューリングの少なくとも全二重の場合、ＳｃｅｌｌのためのＰＤＳＣＨ　ＨＡＲＱタイミング基準として使用されるＵＬ−ＤＬ構成が表１に要約される。
ここで特に注視するのは、
Ｓｃｅｌｌのタイミング基準がＰｃｅｌｌ　ＵＬ−ＤＬ構成と異なる可能性があることである。
この寄稿において、異なるＴＤＤ　ＵＬ−ＤＬ構成を有するＣＡシナリオのためのＨＡＲＱ−ＡＣＫ送信方式の問題および可能な解決策について議論する
（イ）「2 Bundling window for Pcell and Scell
LTE TDD is typically operated as a DL heavier system, which results in a UL subframe usually feeding back HARQ-ACKs for multiple DL subframes. As defined in TS 36.213 [1], the set of DL subframes whose HARQ-ACKs are reported in the same UL subframe is captured in Table 2. 
Based on the current agreement till RAN1#68bis, 
PDSCH HARQ timing for Pcell PDSCH follows Pcell UL-DL configuration itself,
As to Scell, we see 2 alternatives to define the bundling window. 
・
Alt-1: The bundling window for a Scell could be defined based on the UL-DL configuration used as PDSCH timing reference for the Scell
・
Alt-2: In addition to Alt-1, only the real DL subframes of the Scell in the determined set of DL subframes based on the UL-DL configuration used as timing reference are defined as bundling window for the Scell.
（中略）
On the other hand, bundling window size defined by Alt-2 can be smaller than Alt-1. As shown in Figure 2, for Case A, i.e. Scell DL subframes is a subset of Pcell DL subframes, the same bundling window as Pcell is defined by Alt-1.
the real bundling window for the Scell defined by Alt-2 is DL subframe 4, 5 and 6.
Based on the above discussion, the bundling window size for Pcell and Scell can be different, e.g. Figure 1, or Figure 2 with Alt-1 for Scell used. The different bundling window size in Pcell and Scell causes some new issues in the design of PUCCH HARQ-ACK transmission. We discuss it in detail in Section 3.」
(当審仮訳：
２　ＰＣｅｌｌとＳｃｅｌｌのバンドルウィンドウ
ＬＴＥ　ＴＤＤは、典型的にはＤＬ偏重システムとして動作し、通常、複数のＤＬサブフレームに対してＨＡＲＱ−ＡＣＫをフィードバックするＵＬサブフレームをもたらす。ＴＳ　３６．２１３［１］で定義されているように、同じＵＬサブフレームでＨＡＲＱ−ＡＣＫが報告されているＤＬサブフレームのセットが表２に取り込まれている。
ＲＡＮ＃６８ｂｉｓまでの現在の合意に基づいて、
ＰｃｅｌｌのＰＤＳＣＨのためのＰＤＳＣＨ　ＨＡＲＱタイミングはＰｃｅｌｌ　ＵＬ−ＤＬ構成自体に従う
バンドルウィンドウは、Ｐｃｅｌｌ構成についての表２によって定義される
Ｓｃｅｌｌについては、バンドルウィンドウを定義する２つの選択肢がある。
・
Ａｌｔ−１：ＳｃｅｌｌのためのＰＤＳＣＨタイミング基準として使用されるＵＬ−ＤＬ構成に基づいて、Ｓｃｅｌｌのバンドルウィンドウを定義することができる
・
Ａｌｔ−２：Ａｌｔ−１に加えて、タイミング基準として使用されるＵＬ−ＤＬ構成に基づいて決定されたＤＬサブフレームのセット内のＳｃｅｌｌの実際のＤＬサブフレームのみが、Ｓｃｅｌｌのバンドルウィンドウとして定義される。
（中略）
一方、Ａｌｔ−２で定義されたバンドルウィンドウのサイズは、Ａｌｔ−１より小さくすることができる。 図２に示すように、ケースＡ、すなわちＳｃｅｌｌ ＤＬサブフレームがＰｃｅｌｌ ＤＬサブフレームのサブセットである場合、Ｐｃｅｌｌと同じバンドリングウィンドウがＡｌｔ−１によって定義される。
Ａｌｔ−２によって定義されたＳｃｅｌｌの実際のバンドリングウィンドウは、ＤＬサブフレーム４，５および６である。
上記の議論に基づいて、ＰｃｅｌｌおよびＳｃｅｌｌのためのバンドリングウィンドウサイズは異なることができる。 図１、またはＳｃｅｌｌ用Ａｌｔ−１を使用した図２を使用する。 ＰｃｅｌｌとＳｃｅｌｌの異なるバンドルウィンドウサイズは、ＰＵＣＣＨ　ＨＡＲＱ−ＡＣＫ送信の設計にいくつかの新しい問題を引き起こす。セクション３で詳細に議論する。）
（ウ）「3.2 For PUCCH format 3
In this section, we discuss the possible ways to handle HARQ-ACK transmission on PUCCH format 3.
（当審仮訳：
３．２ ＰＵＣＣＨフォーマット３の場合
このセクションでは、ＰＵＣＣＨフォーマット３でＨＡＲＱ−ＡＣＫ送信を処理する方法について説明する
（エ）「4 Conclusions
In this contribution, we discuss the possible methods to define bundling window size for a Scell, analyze that the bundling window size for Pcell and Scell can be different, and then provide our views on HARQ-ACK transmission schemes for both format 1b with channel selection and PUCCH format 3. 
（中略）
For PUCCH format 3, the issue is how to determine the codebook used. We slightly prefer that the reported bits for a cell can be determined based on its exact bundling window size,
（当審仮訳：
４　結論
この寄稿では、Ｓｃｅｌｌのバンドリングウィンドウサイズを定義し、ＰｃｅｌｌとＳｃｅｌｌのバンドルウィンドウのサイズが異なる可能性があることを分析し、チャネル選択のフォーマット１ｂとＰＵＣＣＨフォーマット３の両方のＨＡＲＱ−ＡＣＫ送信方式についての見解を示す。
（中略）
ＰＵＣＣＨフォーマット３では、使用するコードブックの決定方法が問題である。我々は、セルの報告されたビットは、その正確なバンドリングウィンドウのサイズに基づいて決定することができるほうが少し良いと考える。
（オ）「Table 1: UL-DL configuration for PDSCH HARQ timing reference
」
（表１の当審仮訳は省略する。）（表１のタイトルの当審仮訳：表１：ＰＤＳＣＨ　ＨＡＲＱタイミング基準のためのＵＬ−ＤＬ構成）
（カ）「Table 2: Downlink association set index K:{k0,k1,・・・kM-1} for TDD.
」
（表２の当審仮訳は省略する。）（表２のタイトルの当審仮訳：表２：ＴＤＤのダウンリンクアソシエーションセットK:{k0,k1,・・・kM-1}）
（キ）「
　　　　　　　　　　　　　　　Figure　２
」
（図２の当審仮訳は省略する。）
　上記摘記事項の記載及び図面並びにこの分野における技術常識を考慮すると、次のことがいえる。
ａ　上記摘記事項（ア）によれば、「ＰＣｅｌｌ」と「ＳＣｅｌｌ」とが「ＬＴＥ　ＴＤＤ」の「異なるＴＤＤ　ＵＬ−ＤＬ構成を有するＣＡシナリオのためのＨＡＲＱ−ＡＣＫ送信」に関する方法が記載されているといえる。
ｂ　上記摘記事項（ア）によれば、 「ＳＣｅｌｌ　ＳＩＢ１構成によって示されるＤＬサブフレームのセットが、ＰＣｅｌｌ　ＳＩＢ１構成によって示されるＤＬサブフレームのサブセットである場合には、ＰＣｅｌｌ ＳＩＢ１構成に従う」とあり、さらに、「自己スケジューリングの少なくとも全二重の場合、ＳｃｅｌｌのためのＰＤＳＣＨ　ＨＡＲＱタイミング基準として使用されるＵＬ−ＤＬ構成が表１に要約される」として、上記摘記事項（オ）の「表１」の横方向には、「ＰＣｅｌｌ」の「ＳＩＢ１　ＵＬ−ＤＬ構成」「０」−「６」が並び、縦方向には、「ＳＣｅｌｌ」の「ＳＩＢ１　ＵＬ−ＤＬ構成」「０」−「６」が並び、「ＳＣｅｌｌ」が「ＳＩＢ１　ＵＬ−ＤＬ構成」「０」であって、「ＰＣｅｌｌ」が「ＳＩＢ１　ＵＬ−ＤＬ構成」「１」−「６」の場合、（ｉ）「ＳＣｅｌｌ」の「ＰＤＳＣＨ　ＨＡＲＱタイミング基準として使用されるＵＬ−ＤＬ構成」が「ＵＬ−ＤＬ構成」「１」−「６」となること、（ｉｉ）「ケースＡ、すなわちＳｃｅｌｌ ＤＬサブフレームがＰｃｅｌｌ ＤＬサブフレームのサブセットである場合」（上記摘記事項（イ）参照。）に該当すること、が記載されている。
　そして、ＬＴＥ　ＴＤＤにおいて、ＰＣｅｌｌやＳＣｅｌｌは、「ＵＬ−ＤＬ構成」を使用してＵＥと通信をすることは技術常識である。
　そうすると、引用例１には、「ＳＣｅｌｌ」が「ＳＩＢ１　ＵＬ−ＤＬ構成」「０」であって、「ＰＣｅｌｌ」が「ＳＩＢ１　ＵＬ−ＤＬ構成」「１」−「６」の場合、「Ｓｃｅｌｌ（ＳＣｅｌｌ）」のＤＬサブフレームが「Ｐｃｅｌｌ（ＰＣｅｌｌ）」のＤＬサブフレームのサブセットであり（ケースＡに該当）、「ＳＣｅｌｌ」は「ＰＤＳＣＨ　ＨＡＲＱタイミング基準として使用されるＵＬ−ＤＬ構成」である「ＵＬ−ＤＬ構成」「１」−「６」を使用して、ＵＥと通信をすることが記載されているといえる。
ｃ　上記摘記事項（イ）によれば、「複数のＤＬサブフレームに対してＨＡＲＱ−ＡＣＫをフィードバックするＵＬサブフレームをもたらす。ＴＳ　３６．２１３［１］で定義されているように、同じＵＬサブフレームでＨＡＲＱ−ＡＣＫが報告されているＤＬサブフレームのセットが表２に取り込まれている」とある。そして、上記摘記事項（カ）の「表２」の横方向には、「ＵＬサブフレーム」の「サブフレーム番号（Ｓｕｂｆｒａｍｅ　ｎ）」「０」−「９」が並び、縦方向には、「ＵＬ−ＤＬ構成」「０」−「６」が並び、対応する表の要素として、「ＵＬ−ＤＬ構成」「０」−「６」における各「ＵＬサブフレームでＨＡＲＱ−ＡＣＫが報告されているＤＬサブフレームのセット」を示す１つ又は複数の数字が記載されている。
　ここで、表２は、ＬＴＥ　ＴＤＤのＵＬ−ＤＬ構成（例えば、後記イ（オ）の表１参照。「ＵＬ−ＤＬ構成」が「０」の場合、ＤＬサブフレームは、「サブフレーム番号」「０」、「１」、「５」、「６」の４つであることが規格に定められている。）の各々について、どのＵＬサブフレームが（単複の）どのＤＬサブフレームのＡＣＫ／ＮＡＣＫフィードバックを報告するかを示したものであり、表の要素の中の１又は複数の数字が、対応する「ＵＬサブフレーム」から何サブフレーム前の「ＤＬサブフレーム」であるかを示す数字であることは技術常識である。
　また、ＰＣｅｌｌに関して、上記摘記事項（イ）によれば、「ＰｃｅｌｌのＰＤＳＣＨのためのＰＤＳＣＨ　ＨＡＲＱタイミングはＰｃｅｌｌ　ＵＬ-ＤＬ構成自体に従」い、「Ｐｃｅｌｌ」の「バンドルウィンドウは、Ｐｃｅｌｌ構成についての表２に定義される」とあり、ＳＣｅｌｌに関して、上記摘記事項（ア）、（イ）によれば、「ＳＣｅｌｌ上のＰＤＳＣＨ　ＨＡＲＱタイミング」は、「ＳＣｅｌｌ　ＳＩＢ１構成によって示されるＤＬサブフレームのセットが、ＰＣｅｌｌ　ＳＩＢ１構成によって示されるＤＬサブフレームのサブセットである場合には、ＰＣｅｌｌ ＳＩＢ１構成に従う」、「Ａｌｔ−１：ＳｃｅｌｌのためのＰＤＳＣＨタイミング基準として使用されるＵＬ−ＤＬ構成に基づいて、Ｓｃｅｌｌのバンドルウィンドウを定義することができる。」、「Ａｌｔ−２：Ａｌｔ−１に加えて、タイミング基準として使用されるＵＬ−ＤＬ構成に基づいて決定されたＤＬサブフレームのセット内のＳｃｅｌｌの実際のＤＬサブフレームのみが、Ｓｃｅｌｌのバンドルウィンドウとして定義される。」、「Ａｌｔ−２で定義されたバンドルウィンドウのサイズは、Ａｌｔ−１より小さくすることができる。 図２に示すように、ケースＡ、すなわちＳｃｅｌｌ ＤＬサブフレームがＰｃｅｌｌ ＤＬサブフレームのサブセットである場合、Ｐｃｅｌｌと同じバンドリングウィンドウがＡｌｔ−１によって定義される。」とある。
　さらに、上記摘記事項（キ）の「図２」も参照すれば、「Ｐｃｅｌｌ」が「ＵＬ−ＤＬ構成」「２」、「Ｓｃｅｌｌ」が「ＵＬ−ＤＬ構成」「１」の例（「ケースＡ」に該当）において、ＰＣｅｌｌについては、ＰＤＳＣＨのためのＰＤＳＣＨ　ＨＡＲＱタイミングはＰＣｅｌｌのＳＩＢ１　ＵＬ−ＤＬ構成「２」に従い、当該ＵＬ−ＤＬ構成「２」に基づいてバンドルウインドウが定義され、サブフレーム「４」−「８」の間にあるＤＬサブフレーム（サブフレーム「４」、「５」、「６」、「８」の４つ。）のＨＡＲＱ−ＡＣＫをＵＬサブフレーム「２」で報告する。また、ＳＣｅｌｌについては、ＰＤＳＣＨ　ＨＡＲＱタイミング基準として使用されるＵＬ−ＤＬ構成をＰＣｅｌｌと同じとし、ＰＣｅｌｌと同じバンドルウインドウが定義され、ＳＣｅｌｌにおいてサブフレーム「４」−「８」の間にあるＤＬサブフレーム（「Ａｌｔ−２によって定義された」「実際のバンドルウィンドウ」である、サブフレーム「４」、「５」、「６」の３つ。）のＨＡＲＱ−ＡＣＫを、ＰＣｅｌｌの上記ＵＬサブフレーム「２」で報告する。
　そして、「ケースＡ」では、例えば、「Ｐｃｅｌｌ」は「ＵＬ−ＤＬ構成」「２」のままで、「Ｓｃｅｌｌ」を「ＵＬ−ＤＬ構成」「０」としても同様の条件が適用され、この場合、上記ＴＤＤ　ＵＬ−ＤＬ構成によれば、「ＵＬ−ＤＬ構成」「０」におけるサブフレーム「４」−「８」の間にあるＤＬサブフレームは、サブフレーム「５」、「６」の２つであるから、Ａｌｔ−２によって定義されたバンドルウインドウである、ＳＣｅｌｌの当該２つのＤＬサブフレームのＨＡＲＱ−ＡＣＫを、ＰＣｅｌｌの上記ＵＬサブフレーム「２」で報告することが把握できる。
　そうすると、ケースＡの場合、Ｐｃｅｌｌについては、ＰＤＳＣＨのためのＰＤＳＣＨ　ＨＡＲＱタイミングはＰＣｅｌｌのＳＩＢ１　ＵＬ−ＤＬ構成１−６に従い、複数のＤＬサブフレームのＨＡＲＱ−ＡＣＫを１つのＵＬサブフレームで報告し、ＳＣｅｌｌについては、ＰＤＳＣＨ　ＨＡＲＱタイミング基準として使用されるＵＬ−ＤＬ構成をＰＣｅｌｌと同じとし、ＳＣｅｌｌの複数のＤＬサブフレームのＨＡＲＱ−ＡＣＫをＰＣｅｌｌの前記ＵＬサブフレームで報告する場合を含むといえる。
ｄ　上記摘記事項（ウ）、（エ）によれば、「ＰＵＣＣＨフォーマット３でＨＡＲＱ−ＡＣＫ送信を処理する」とある。
　上記ａ−ｄを総合すると、引用例１には、以下の発明（以下、「引用発明」という。）が記載されているものと認められる。
（引用発明）
「　ＰＣｅｌｌとＳＣｅｌｌとがＬＴＥ　ＴＤＤの異なるＴＤＤ　ＵＬ−ＤＬ構成を有するＣＡシナリオのためのＨＡＲＱ−ＡＣＫ送信の方法において、
　ＳＣｅｌｌがＳＩＢ１　ＵＬ−ＤＬ構成０であって、ＰＣｅｌｌがＳＩＢ１　ＵＬ−ＤＬ構成１−６の場合、ＳＣｅｌｌのＤＬサブフレームが、ＰＣｅｌｌのＤＬサブフレームのサブセットであり、ＳＣｅｌｌは、ＰＤＳＣＨ　ＨＡＲＱタイミング基準であるＵＬ−ＤＬ構成１−６を使用して、ＵＥと通信することと、
　上記の場合、Ｐｃｅｌｌについては、ＰＤＳＣＨのためのＰＤＳＣＨ　ＨＡＲＱタイミングはＰＣｅｌｌのＳＩＢ１　ＵＬ−ＤＬ構成１−６に従い、複数のＤＬサブフレームのＨＡＲＱ−ＡＣＫを１つのＵＬサブフレームで報告し、ＳＣｅｌｌについては、ＰＤＳＣＨ　ＨＡＲＱタイミング基準として使用されるＵＬ−ＤＬ構成をＰＣｅｌｌと同じとし、ＳＣｅｌｌの複数のＤＬサブフレームのＨＡＲＱ−ＡＣＫをＰＣｅｌｌの前記ＵＬサブフレームで報告する場合を含むことと、
　ＰＵＣＣＨフォーマット３でＨＡＲＱ−ＡＣＫ送信を処理することと、
を含む、方法。」
イ　公知技術
　原査定の拒絶の理由で引用された国際公開第２０１２／０６８１４１号（平成２４年５月２４日国際公開。以下、「引用例２」という。）には，以下の記載がある。（
下線
（ア）「[0041] 
FIG. 3 is a diagram 300 illustrating an example of a DL frame structure in LTE. A frame (10 ms) may be divided into 10 equally sized sub-frames 306. Further, each subframe 306 may be allocated for downlink or uplink communications. Table 1 provides an example set of possible subframe distributions for a time division duplexing (TDD) scheme.
（当審仮訳：
[００４１
]図３は、ＬＴＥにおけるＤＬフレーム構造の例を例示する図解３００である。フレーム（１０ミリ秒）が、等しいサイズの１０のサブフレーム３０６に分割されうる。さらに、各サブフレーム３０６は、ダウンリンク通信またはアップリンク通信のために割り当てられうる。表１は、時分割デュプレクス（ＴＤＤ）スキームのための可能なサブフレーム分配のセットの例を提供する。
（イ）「[0042]
As used in Table 1, D refers to a downlink slot, U refers to an uplink slot and S refers to a special slot. In one aspect, a special slot may placed between U and D slots and include control information, for example, a downlink pilot time slot (DwPTS) a gap (GP) and a uplink pilot time slot (UpPTS).
（当審仮訳：
[００４２]
表１において使用されるように、「Ｄ」はダウンリンク・スロットを称し、「Ｕ」はアップリンク・スロットを称し、「Ｓ」は特別のスロットを称する。１つの態様では、特別のスロットは、ＵスロットとＤスロットとの間に配置され、例えば、ダウンリンク・パイロット時間スロット（ＤｗＰＴＳ）、ギャップ（ＧＰ）、およびアップリンク・パイロット時間スロット（ＵｐＰＴＳ）のような制御情報を含みうる。
（ウ）「[0043] 
Sub-frame 306 may be organized into a control region 308 and a data region 310. Control region 308 may include resources elements that may be allocated for various physical control channels. 
control region 308 may include
physical downlink control channel (PDCCH) 316.
[0044] 
PDCCH 316 may convey control information
downlink assignment index (DAI),
Generally, DAI may assist the UE to detect the missing downlink assignment(s) and facilitate more efficient ACK/NAK feedback. In one aspect, DAI denotes the accumulative number of PDCCH(s) with assigned PDSCH transmission(s) and PDCCH indicating DL SPS release up to the present subframe within subframe(s) n-k, k belongs to K. In another aspect, the DAI field may be a 2-bit field. In such an aspect, the DAI field may be present in downlink control information (DCI) formats 1/1A/1B/1D/2/2A/2B/2C.
（当審仮訳：
[００４３]
サブフレーム３０６は、制御領域３０８およびデータ領域３１０で構成されうる。制御領域３０８は、さまざまな物理制御チャネルのために割り当てられたリソース要素を含みうる。
制御領域３０８は、
物理ダウンリンク制御チャネル（ＰＤＣＣＨ）３１６、に割り当てられたリソース要素を含みうる。
[００４４]
ＰＤＣＣＨ３１６は、
ダウンリンク割当てインデックス（ＤＡＩ）等のような制御情報を伝送しうる。
一般に、ＤＡＩは、ＵＥが、喪失したダウンリンク割当（単数または複数）を検出することを支援し、より効率的なＡＣＫ／ＮＡＫフィードバックを容易にする。１つの態様では、ＤＡＩは、サブフレーム（単数または複数）ｎ−ｋ内の現在のサブフレームまでの、割り当てられたＰＤＳＣＨ送信（単数または複数）を伴うＰＤＣＣＨ（単数または複数）とＤＬ  ＳＰＳリリースを示すＰＤＣＣＨとの累積数を示す。ここで、ｋはＫに属する。別の態様では、ＤＡＩフィールドは、２ビットのフィールドでありうる。このような態様では、ＤＡＩフィールドは、ダウンリンク制御情報（ＤＣＩ）フォーマット１／１Ａ／１Ｂ／１Ｄ／２／２Ａ／２Ｂ内に存在しうる。
このフィールドは、ＵＥによって検出されたダウンリンクＳＰＳリリースを示すＰＤＣＣＨおよびＰＤＳＣＨ送信を伴うサブフレームの総数を示す
（エ）「[0051] In non-carrier aggregation configurations, 
one UL subframe 402 may be used to provide feedback (e.g., ACK/NACK) for multiple (N) (e.g., N=l, 2, 3, 4, 9) DL subframes based on a DL hybrid automatic repeat request (HARQ) timing relationship. For example, in configuration number 5 described in Table 1 , one UL subframe may provide feedback for 9 DL subframes.
（当審仮訳：
［００５１］非キャリア・アグリゲーション・コンフィギュレーションでは、
ＤＬハイブリッド自動再送要求（ＨＡＲＱ）のタイミング関係に基づいて、複数（Ｎ個）（例えば、Ｎ＝１，２，３，４，９）のＤＬサブフレームのためのフィードバック（例えば、ＡＣＫ／ＮＡＣＫ）を提供するために、１つのＵＬサブフレーム４０２が使用されうる。例えば、表１に記載されたコンフィギュレーション番号５では、１つのＵＬサブフレームが、９つのＤＬサブフレームのためのフィードバックを提供しうる。
（オ）「
Table1:Uplink-Downlink Configurations for TDD System
」
(表１の当審仮訳は省略する。)（表１のタイトルの当審仮訳：表１：ＴＤＤシステムのアップリンク−ダウンリンク構成）
　上記摘記事項の記載及び表並びにこの分野における技術常識を考慮すると、次のことがいえる。
ａ　上記摘記事項（ア）及び（オ）によれば、引用例２は、「ＬＴＥ　ＴＤＤ」に関し、上記摘記事項（ウ）によれば、「ダウンリンク割当てインデックス（ＤＡＩ）」は、「ＵＥが、喪失したダウンリンク割当（単数または複数）を検出することを支援し、より効率的なＡＣＫ／ＮＡＫフィードバックを容易にする」。ここで、上記「ＵＥ」が「ユーザ装置（Ｕｓｅｒ Ｅｑｕｉｐｍｅｎｔ)」を意味することは、技術常識である。
ｂ　上記摘記事項（ウ）によれば、「ＤＡＩフィールドは、ダウンリンク制御情報（ＤＣＩ）フォーマット１／１Ａ／１Ｂ／１Ｄ／２／２Ａ／２Ｂ内に存在しうる」。そして、「ＤＡＩは、サブフレーム（単数または複数）ｎ−ｋ内の現在のサブフレームまでの、割り当てられたＰＤＳＣＨ送信（単数または複数）を伴うＰＤＣＣＨ（単数または複数）とＤＬ  ＳＰＳリリースを示すＰＤＣＣＨとの累積数」であり、「ＤＡＩフィールド」は、「ＵＥによって検出されたダウンリンクＳＰＳリリースを示すＰＤＣＣＨおよびＰＤＳＣＨ送信を伴うサブフレームの総数を示す」。
　そして、「ダウンリンク制御情報（ＤＣＩ）フォーマット１／１Ａ／１Ｂ／１Ｄ／２／２Ａ／２Ｂ」であるＰＤＣＣＨは、ＵＥに対し、ダウンリンクの割当て（グラント）を示すことは技術常識であるから、上記「ダウンリンク制御情報（ＤＣＩ）フォーマット１／１Ａ／１Ｂ／１Ｄ／２／２Ａ／２Ｂ内」の「ＤＡＩフィールド」にある「ダウンリンク割当てインデックス（ＤＡＩ）」は、「ダウンリンクグラント内のダウンリンク割当てインデックス（ＤＡＩ）」といえる。
ｃ　ユーザ装置が行うＡＣＫ／ＮＡＫフィードバックに関し、上記摘記事項（イ）、（エ）、上記摘記事項（オ）の「表１」によれば、「１つのＵＬサブフレーム４０２」を使用して、「ＤＬハイブリッド自動再送要求（ＨＡＲＱ）のタイミング関係に基づいて、複数（Ｎ個）（例えば、Ｎ＝１，２，３，４，９）のＤＬサブフレームのためのフィードバック（例えば、ＡＣＫ／ＮＡＣＫ）を提供する」。
　上記「ＤＬサブフレーム」は、「ユーザ装置への送信」に係る「サブフレーム」といえ、上記「ＵＬサブフレーム」を使用して行われる「ＤＬハイブリッド自動再送要求（ＨＡＲＱ）」に係る「ＡＣＫ／ＮＡＫフィードバック」は、「アップリンクサブフレームのハイブリッド自動再送要求フィードバック」といえる。
ｄ　上記ｂのとおり、「ダウンリンク割当てインデックス（ＤＡＩ）」は、「サブフレーム（単数または複数）ｎ−ｋ内の現在のサブフレームまでの、割り当てられたＰＤＳＣＨ送信（単数または複数）を伴うＰＤＣＣＨ（単数または複数）とＤＬ  ＳＰＳリリースを示すＰＤＣＣＨとの累積数」であり、「ＤＡＩフィールド」は、「ＵＥによって検出されたダウンリンクＳＰＳリリースを示すＰＤＣＣＨおよびＰＤＳＣＨ送信を伴うサブフレームの総数を示す」ものであるから、当該サブフレームは、上記ｃの「アップリンクサブフレームのハイブリッド自動再送要求フィードバック」の対象となるサブフレームといえる。そして、その総数を示す「ダウンリンク割当てインデックス（ＤＡＩ）」は、「ユーザ装置への送信に含まれるアップリンクサブフレームのハイブリッド自動再送要求フィードバックに関連したサブフレームがどれだけあったかを示す」ものといえる。
　上記ａ〜ｄを総合すると、引用例２には、ＬＴＥ　ＴＤＤにおいてハイブリッド自動再送要求フィードバックを行うための、以下の技術（以下、「公知技術」という。）が記載されているといえる。
（公知技術）
「　ユーザ装置への送信に含まれたアップリンクサブフレームのハイブリッド自動再送要求フィードバックに関連したサブフレームがどれだけあったかを示すための、ダウンリンクグラント内のダウンリンク割当てインデックス情報（ＤＡＩ）を使用することにより、ユーザ装置が、喪失したダウンリンク割当（単数または複数）を検出することを支援し、より効率的なＡＣＫ／ＮＡＫフィードバックを容易にする。」
（３）対比
　本件補正発明と引用発明とを対比する。
ア　引用発明の「ＳＣｅｌｌがＳＩＢ１　ＵＬ−ＤＬ構成０であって、ＰＣｅｌｌがＳＩＢ１　ＵＬ−ＤＬ構成１−６の場合、ＳＣｅｌｌのＤＬサブフレームが、ＰＣｅｌｌのＤＬサブフレームのサブセットであり、ＳＣｅｌｌは、ＰＤＳＣＨ　ＨＡＲＱタイミング基準であるＵＬ−ＤＬ構成１−６を使用して、ＵＥと通信すること」に関し、「ＳＩＢ１　ＵＬ−ＤＬ構成」及び「ＰＤＳＣＨ　ＨＡＲＱタイミング基準として使用されるＵＬ−ＤＬ構成」は、それぞれ本件補正発明の「ＳＩＢ１アップリンク及びダウンリンク構成」及び「ハイブリット自動再送要求のための基準構成」に相当する。
　そして、「ＰＤＳＣＨ　ＨＡＲＱタイミング基準として使用されるＵＬ−ＤＬ構成１−６」は、「アップリンク及びダウンリンク構成０ではない」といえるので、引用発明の「ＳＩＢ１　ＵＬ−ＤＬ構成０であって」「ＰＤＳＣＨ　ＨＡＲＱタイミング基準であるＵＬ−ＤＬ構成１−６を使用」する「ＳＣｅｌｌ」は、本件補正発明の「ＳＩＢ１アップリンク及びダウンリンク構成０と、アップリンク及びダウンリンク構成０ではない、ハイブリット自動再送要求のための基準構成とを使用する」「セル」に相当する。
　そうすると、引用発明の「ＳＣｅｌｌがＳＩＢ１　ＵＬ−ＤＬ構成０であって」、「ＳＣｅｌｌは、ＰＤＳＣＨ　ＨＡＲＱタイミング基準であるＵＬ−ＤＬ構成１−６を使用して、ＵＥと通信すること」は、本件補正発明の「ＳＩＢ１アップリンク及びダウンリンク構成０と、アップリンク及びダウンリンク構成０ではない、ハイブリット自動再送要求のための基準構成とを使用するセルにおけるユーザ装置と通信するステップ」に相当する。
イ　引用発明の「ＰＣｅｌｌとＳＣｅｌｌとがＬＴＤ　ＴＤＤで異なるＴＤＤ　ＵＬ−ＤＬ構成を有するＣＡシナリオ」に関し、「ＣＡ」は、キャリアアグリゲーションを指しており、キャリアアグリゲーションは、プライマリセルとセカンダリセルとが集約されたキャリアを提供するものであることは技術常識であるから、引用発明の「ＰＣｅｌｌ」と「ＳＣｅｌｌ」とは、本件補正発明の「プライマリセル」と「セカンダリセル」とに相当する。
　そして、上記アより、引用発明の「ＳＣｅｌｌ」は、本件補正発明の「セル」であるから、引用発明の「ＰＣｅｌｌとＳＣｅｌｌとがＬＴＤ　ＴＤＤで異なるＴＤＤ　ＵＬ−ＤＬ構成を有するＣＡシナリオ」は、本件補正発明の「セル及び別のセルの一方はプライマリセルを含み、前記セル及び前記別のセルの他方はセカンダリセルを含み、
　前記セル及び前記別のセルは、集約されたキャリアを提供する」ことに相当するといえる。
ウ　引用発明の「ＰＵＣＣＨ」及び「ＨＡＲＱ−ＡＣＫ」は、それぞれ、本件補正発明の「物理アップリンク制御チャネル」及び「ハイブリッド自動再送要求フィードバック」に相当するので、引用発明の「ＰＵＣＣＨフォーマット３でＨＡＲＱ−ＡＣＫ送信を処理すること」は、本件補正発明の「物理アップリンク制御チャネル上でハイブリッド自動再送要求フィードバックを受け取るステップと、
を含み、
　ＰＵＣＣＨフォーマット３は、前記ハイブリッド自動再送要求フィードバックの送信に用いられ」ることに相当する。
エ　ＬＴＥの無線アクセス部分を、進化型ユニバーサル地上波無線アクセスネットワーク（Ｅ−ＵＴＲＡＮ）と呼ぶことは技術常識であるから、上記ア−ウより、引用発明の「ＬＴＥ　ＴＤＤ」の「ＨＡＲＱ−ＡＣＫの送信タイミングに関する方法」は、本件補正発明の「進化型ユニバーサル地上波無線アクセスネットワーク」における「方法」に対応する。
　したがって、本件補正発明と引用発明とは以下の点で一致ないし相違する。
（一致点）
「　進化型ユニバーサル地上波無線アクセスネットワークで、ＳＩＢ１アップリンク及びダウンリンク構成０と、アップリンク及びダウンリンク構成０ではない、ハイブリット自動再送要求のための基準構成とを使用するセルにおけるユーザ装置と通信するステップと、
　物理アップリンク制御チャネル上で前記ハイブリッド自動再送要求フィードバックを受け取るステップと、
を含み、
　ＰＵＣＣＨフォーマット３は、前記ハイブリッド自動再送要求フィードバックの送信に用いられ、
　前記セル及び別のセルの一方はプライマリセルを含み、前記セル及び前記別のセルの他方はセカンダリセルを含み、
　前記セル及び前記別のセルは、集約されたキャリアを提供する、
ことを特徴とする方法。」
（相違点）
　本件補正発明は、「ユーザ装置への送信に含まれたアップリンクサブフレームのハイブリッド自動再送要求フィードバックに関連したサブフレームがどれだけあったかを示すための、ダウンリンクグラント内のダウンリンク割当てインデックス情報を使用するステップ」を含むが、引用発明では、そのようなステップを含んでいない点。
（４）当審の判断
　引用発明は、「Ｐｃｅｌｌについては、ＰＤＳＣＨのためのＰＤＳＣＨ　ＨＡＲＱタイミングはＰＣｅｌｌのＳＩＢ１　ＵＬ−ＤＬ構成１−６に従い、複数のＤＬサブフレームのＨＡＲＱ−ＡＣＫを１つのＵＬサブフレームで報告し」、「ＳＩＢ１　ＵＬ−ＤＬ構成０」の「ＳＣｅｌｌ」についても、「ＰＤＳＣＨ　ＨＡＲＱタイミング基準として使用されるＵＬ−ＤＬ構成をＰＣｅｌｌと同じとし、ＳＣｅｌｌの複数のＤＬサブフレームのＨＡＲＱ−ＡＣＫをＰＣｅｌｌの前記ＵＬサブフレームで報告する」場合を含むものである。そうすると、前記ＵＬサブフレームにおいてＨＡＲＱフィードバックの対象となるＤＬサブフレームの数が、ＰＣｅｌｌ及びＳＣｅｌｌのいずれについても、複数となることが想定されることは明らかである。
　そして、引用発明と公知技術とは、ＬＴＥにおいてハイブリッド自動再送要求フィードバックを行うための技術である点で共通する。
　してみれば、喪失したダウンリンク割当（単数または複数）を検出することを支援し、より効率的なＡＣＫ／ＮＡＫフィードバックを容易にするべく、引用発明に公知技術を適用して、引用発明に、「ユーザ装置への送信に含まれたアップリンクサブフレームのハイブリッド自動再送要求フィードバックに関連したサブフレームがどれだけあったかを示すための、ダウンリンクグラント内のダウンリンク割当てインデックス情報（ＤＡＩ）を使用」するステップを含めることは、当業者が容易に想到し得る。
　また、本件補正発明の奏する効果は、技術常識を踏まえれば、引用発明と公知技術から想定できる程度のものにすぎない。
　したがって、本件補正発明は、引用発明及び公知技術に基づいて、当業者が容易に発明をすることができたものであるから、特許法第２９条２項の規定によって、特許出願の際独立して特許を受けることができないものである。
３　小括
　以上のとおり、本件補正発明は、特許出願の際独立して特許を受けることができないものであるから、特許法第１７条の２第６項において準用する同法第１２６条第７項の規定に適合していない。
　したがって、本件補正は、特許法第１５９条第１項の規定において読み替えて準用する同法第５３条第１項の規定により却下すべきものである。
　よって、上記補正の却下の決定の結論のとおり決定する。
第３　本願発明について
１　本願発明
　平成２９年２月６日にされた手続補正は、上記のとおり却下されたので、本願の請求項１ないし２５に係る発明は、平成２８年４月４日にされた手続補正により補正された特許請求の範囲の請求項１ないし２５に記載された事項により特定されるものであるところ、その請求項１に係る発明は、明細書及び図面の記載からみて、その請求項１に記載された事項により特定される、上記第２［理由］１の「本願発明」のとおりのものである。
２　原査定の拒絶の理由
　原査定の拒絶の理由は、この出願の請求項１に係る発明は、本願の優先権主張の日前に頒布された又は電気通信回線を通じて公衆に利用可能となった下記の引用例１に記載された発明及び引用例２に記載された事項に基づいて、その出願前にその発明の属する技術の分野における通常の知識を有する者が容易に発明をすることができたものであるから、特許法２９条２項の規定により特許を受けることができない、というものである。
１．Samsung，Discussion on PUCCH HARQ-ACK transmission，3GPP TSG RAN WG1 #69 R1-122220，[online]，２０１２年　５月１２日，[検索日：2015.12.22]，ＵＲＬ，http://www.3gpp.org/ftp/tsg_ran/WG1_RL1/TSGR1_69/Docs/R1-122220.zip
２．国際公開第２０１２／０６８１４１号
３　引用発明及び公知技術
　原査定の拒絶の理由で引用された、引用例１及び引用例２の記載事項、引用発明及び公知技術は、上記第２［理由］２（２）に記載したとおりである。
　
４　対比・判断
　本願発明は、前記第２で検討した本件補正発明から「物理アップリンク制御チャネル上で前記ハイブリッド自動再送要求フィードバックを受け取るステップと、を含み、
　ＰＵＣＣＨフォーマット３は、前記ハイブリッド自動再送要求フィードバックの送信に用いられ、
　前記セル及び別のセルの一方はプライマリセルを含み、前記セル及び前記別のセルの他方はセカンダリセルを含み、」という限定を省き、さらに「前記セル及び別のセル」についての「集約されたキャリアを適用する」という限定を省いたものである。そして、本願発明の構成要件をすべて含み、更に他の構成要件を付加したものに相当する本件補正発明が、前記第２で判断したとおり、引用発明及び公知技術に基づいて、当業者が容易に発明をすることができたものであるから、本願発明も、同様の理由により、引用発明及び公知技術に基づいて、当業者が容易に発明をすることができたものである。
第４　むすび
　以上のとおり、本願発明は、引用発明及び公知技術に基づいて当業者が容易に発明をすることができたものであるから、特許法第２９条第２項の規定により特許を受けることができない。 
　したがって、本願は、他の請求項について検討するまでもなく拒絶すべきものである。
　よって、結論のとおり審決する。